(57)【要約】【課題】電力消費量が大きく高価な照明装置を用いることなく簡易な構成による効率の良い人工光の照射によって、スイートピー等の花きについての落蕾の発生を確実に抑制し、安定した切花生産を実現する。【解決手段】花き１Ａの花蕾１ａ近傍の茎葉１ｂに対し、花き１Ａの花茎１ｃの生長方向と交わる方向から、発光ダイオード３ａを用いて人工光を照射する。【選択図】図１
2007267645.tif 000002
【特許請求の範囲】
【請求項１】
花きの花蕾近傍の茎葉に対し、前記花きの茎の生長方向と交わる方向から、発光ダイオードを用いて人工光を照射することを特徴とする、花きの栽培方法。
【請求項２】
前記花きを自然光の当たる環境下で栽培するとともに、前記自然光に加えて前記人工光を照射することを特徴とする、請求項１記載の花きの栽培方法。
【請求項３】
自然光の当たらない夜間には前記人工光のみを照射することを特徴とする、請求項２記載の花きの栽培方法。
【請求項４】
植物の生長点近傍の茎葉に対し、前記植物の生長方向と交わる方向から、発光ダイオードを用いて人工光を照射することを特徴とする、植物の栽培方法。
【請求項５】
前記植物を自然光の当たる環境下で栽培するとともに、前記自然光に加えて前記人工光を照射することを特徴とする、請求項４記載の植物の栽培方法。
【請求項６】
自然光の当たらない夜間には前記人工光のみを照射することを特徴とする、請求項５記載の植物の栽培方法。
【請求項７】
花きの花蕾近傍の茎葉に対し、前記花きの茎の生長方向と交わる方向から、人工光を照射する発光ダイオードをそなえたことを特徴とする、花き栽培用照明装置。
【請求項８】
植物の生長点近傍の茎葉に対し、前記植物の生長方向と交わる方向から、人工光を照射する発光ダイオードをそなえたことを特徴とする、植物栽培用照明装置。
【発明の詳細な説明】
【技術分野】
【０００１】
本発明は、スイートピー，ラン，キク，トルコギキョウなどの花きの栽培や、花きのみならず野菜，果樹などの各種植物の栽培に用いて好適の技術に関する。
【背景技術】
【０００２】
花き類のうち特にスイートピーは、その特性上日照を好む植物であることが知られている。スイートピーの切花栽培においては、曇雨天が連続し日照が不足する場合や、植物体が土壌水分過多や落蕾（落らい；花蕾の落下）などにより茎葉が繁茂した場合には、生理的に落蕾し切花が得られなくなる。
【０００３】
なお、下記非特許文献１には、スイートピーの落らいと日射量との相関について開示され、下記非特許文献２には、光強度がスイートピーの生育開花に及ぼす影響について開示され、下記非特許文献３には、人工光における光強度がスイートピーの落らいに及ぼす影響について開示されている。
【０００４】
スイートピーの切花栽培において安定した切花が得られるようにするために、下記非特許文献２や下記非特許文献３には、高圧ナトリウム灯および白色蛍光灯を利用した事例が開示されている。これらの事例では、自然光（日照）を用いず全て人工光を用いており、高圧ナトリウム灯等による人工光を、スイートピーの上方（スイートピーの生長方向／頭上）から照射している。
【非特許文献１】並河治他「スイートピーの落らい防止試験（第１報）  落らいの原因と経過について」神奈川園試研報第２２号：１０９〜１１５（１９７４）
【非特許文献２】井上知昭他「矮性スイートピー品種の開花の早晩性、施肥量ならびに光強度が生育開花に及ぼす影響」園学雑６９別２，２０００年［花き］第４６８頁
【非特許文献３】井上知昭他「人工光における光強度がスイートピーの落らいに及ぼす影響」園学雑７１別２，２００２年［花き］第４２３頁
【発明の開示】
【発明が解決しようとする課題】
【０００５】
しかしながら、高圧ナトリウム灯等の照明装置を用いて自然光（日照）に代わる十分な光を発生させると、スイートピーの生育に悪影響を与える高熱が発生するほか、電力の消費量が極めて大きくなる。また、照明装置が植物体の上方に配置されるため、照明装置を自然光（日照）と併用しようとすると、照明装置の非照射時にはその照明装置が自然光（日照）を遮ることになり逆に落蕾を発生させるおそれがある。さらに、高圧ナトリウム灯等の照明装置は高価であるため、その照明装置を広く普及させることが困難である。
【０００６】
本発明は、このような課題に鑑み創案されたもので、電力消費量が大きく高価な照明装置を用いることなく簡易な構成による効率の良い人工光の照射によって、スイートピー等の花きについての落蕾の発生を確実に抑制し、安定した切花生産を実現することを目的とする。また、本発明は、電力消費量が大きく高価な照明装置を用いることなく簡易な構成による効率の良い人工光の照射によって、花きの花芽抑制／花芽形成促進による開花調節や、花き，野菜，果樹などを含む植物についての光合成／生長の促進を行なえるようにすることを目的としている。
【課題を解決するための手段】
【０００７】
上記目的を達成するために、本発明の花きの栽培方法（請求項１）は、花きの花蕾近傍の茎葉に対し、前記花きの茎の生長方向と交わる方向から、発光ダイオードを用いて人工光を照射することを特徴としており、その際、前記花きを自然光の当たる環境下で栽培するとともに、前記自然光に加えて前記人工光を照射してもよく（請求項２）、さらに、自然光の当たらない夜間には前記人工光のみを照射してもよい（請求項３）。
また、本発明の植物の栽培方法（請求項４）は、植物の生長点近傍の茎葉に対し、前記植物の生長方向と交わる方向から、発光ダイオードを用いて人工光を照射することを特徴としており、その際、前記植物を自然光の当たる環境下で栽培するとともに、前記自然光に加えて前記人工光を照射してもよく（請求項５）、さらに、自然光の当たらない夜間には前記人工光のみを照射してもよい（請求項６）。
【０００８】
一方、本発明の花き栽培用照明装置（請求項７）は、花きの花蕾近傍の茎葉に対し、前記花きの茎の生長方向と交わる方向から、人工光を照射する発光ダイオードをそなえたことを特徴としている。
また、本発明の植物栽培用照明装置（請求項８）は、植物の生長点近傍の茎葉に対し、前記植物の生長方向と交わる方向から、人工光を照射する発光ダイオードをそなえたことを特徴としている。
【発明の効果】
【０００９】
上述した本発明の花きの栽培方法および花き栽培用照明装置によれば、花きの花蕾近傍の茎葉に対し、花きの茎の生長方向と交わる方向から、発光ダイオードを用いて人工光を照射することにより、電力消費量が大きく高価な照明装置を用いることなく、簡易な構成による効率の良い人工光の照射（発光ダイオード）によって、スイートピー等の花きについての落蕾の発生を確実に抑制し、安定した切花生産を実現することができる。
【００１０】
また、上述した本発明の植物の栽培方法および植物栽培用照明装置によれば、植物の生長点近傍の茎葉に対し、植物の生長方向と交わる方向から、発光ダイオードを用いて人工光を照射することにより、電力消費量が大きく高価な照明装置を用いることなく、簡易な構成による効率の良い人工光の照射（発光ダイオード）によって、花きの花芽抑制／花芽形成促進による開花調節や、花き，野菜，果樹などを含む植物についての光合成／生長の促進を行なうことができる。
【００１１】
このとき、発光ダイオードが、花蕾近傍／生長点近傍で生長方向と交わる方向（花き／植物の頭上を避けた花き／植物の側方面）から照射を行なうべく、花き／植物の側方向に設置されることになるので、自然光と発光ダイオードによる人工光とを併用して花き／植物の栽培を行なう際に、昼間等に発光ダイオード（照明装置）が上方からの自然光（日照）を遮ることがなくなる。
【００１２】
特に、スイートピーの栽培に本発明を適用する場合、発光ダイオードの特性によりスイートピーの栽培に適した波長域の照射が発熱を伴わずに効率よく行なうことができる。そのため、曇雨天が連続し日照が不足する場合や、植物体が土壌水分過多や落蕾などにより茎葉が繁茂した場合でも、生理的な落蕾の発生が減少し、安定した切花生産を行なうことができる。
【００１３】
また、キクやトルコギキョウの栽培に本発明を適用する場合、発光ダイオードの特性によりキクやトルコギキョウの栽培に適した波長域の照射が発熱を伴わずに効率よく行なえるほか、自然光の当たらない夜間には発光ダイオードによる人工光のみを生長点近傍の茎葉に対し照射することで、電力消費量が大きく高価な照明装置を用いることなく、簡易な構成による効率の良い人工光の照射（発光ダイオード）によって、極めて容易に開花促進／抑制を行なうことができる。
【発明を実施するための最良の形態】
【００１４】
以下、図面を参照して本発明の実施の形態を説明する。
〔１〕第１実施形態の説明
図１は本発明の第１実施形態としての花きの栽培方法（花き栽培用照明装置）を説明するための模式図であり、この図１に示す第１実施形態では、例えばスイートピーのような花き／植物（以下、植物体という場合がある）１Ａに本発明の栽培方法（花き栽培用照明装置３Ａ）を適用した場合について説明する。一般に、スイートピー等の蔓性植物を栽培する際には、図１に示すように、誘引ネット（もしくは紐，棒状の支柱など）２Ａが鉛直方向に展張されており、この誘引ネット２Ａに沿って植物体１Ａが下方から上方へ誘引されながら生長するようになっている。
【００１５】
第１実施形態の照明装置３Ａは、パネル上において、複数の発光ダイオード〔ＬＥＤ（Light Emitting Diode）発光体〕３ａを、上下方向に幅を有する帯状にそなえて構成されている。具体的には、照明装置３Ａにおいて、発光ダイオード３ａが、上下方向（鉛直方向，幅方向）に複数個列状に配置されるとともに、このような列状の発光ダイオード３ａが、水平方向（長手方向）に多数列そなえられている。なお、発光ダイオード３ａは、帯状の照明装置３Ａの両面にそなえてもよい。
【００１６】
そして、各発光ダイオード３ａは、図示略の電源から電力供給を受けることにより、上述のような植物体１Ａの花蕾１ａ近傍（直下）の茎葉１ｂに対し、植物体１Ａの茎１ｃの生長方向（鉛直上方向；図１中の上方向）と交わる方向（本実施形態では略直交する方向；水平方向）から、人工光を照射するように配置されている。
【００１７】
つまり、発光ダイオード３ａを有する照明装置３Ａは、花蕾１ａの近傍で茎１ｃの生長方向と交わる方向（植物体１Ａの頭上を避けた植物体１Ａの側方面）から照射を行なうべく、植物体１Ａの側方向において花蕾１ａ近傍の茎葉１ｂに近接して設置されている。第１実施形態では、植物体１Ａは、自然光（太陽光／日照）の当たる環境下で栽培され、その自然光（太陽光／日照）に加えて照明装置３Ａ（発光ダイオード３ａ）による前記人工光を照射される。この照明装置３Ａは、例えば、植物体１Ａや誘引ネット２Ａに近接して立設された複数の支柱（図示略）に取り付けられ、上述のような照射を行なえる位置に固定されている。また、自然光の当たらない夜間には、必要に応じて、照明装置３Ａを用い、発光ダイオード３ａによる人工光を花蕾１ａ近傍の茎葉１ｂに対し照射することが可能である。
【００１８】
なお、花蕾１ａの近傍の茎葉１ｂにおける光合成産物が花蕾１ａに分配されることが例えば『札埜高志他「スイートピーの開花期における光合成産物の分配」園学雑 (J. Japan. Soc. Hort. Sci.) 70(1):102-107 2001』に開示されている。本実施形態では、このように花蕾１ａ近傍の茎葉１ｂにおける光合成産物が花蕾１ａに分配されることに着目し、花蕾１ａの近傍の茎葉１ｂに対し発光ダイオード３ａによる人工光を照射することで、花蕾１ａに配分される光合成産物の量を多くして花蕾１ａの生長を促進することによって、花蕾１ａの落下を抑制しようとするものである。花蕾１ａに限らず、植物の生長点近傍の茎葉における光合成産物が生長点に分配され、後述する第２〜第５実施形態のいずれにおいても、その点に着目して、植物の生長点近傍の茎葉に対する人工光の照射を行なっている。
【００１９】
ところで、発光ダイオード３ａは、一般に、従来の照明器具（例えば高圧ナトリウム灯や白熱灯など）に対して、
（１）電力消費量が少なく且つ効率がよい
（２）発熱がほとんど無い
（３）発光ダイオード３ａの単体が小さいため、光源としての発光機器（照明装置３Ａ）はその形状を自由に変化させることできる
（４）発光ダイオード３ａはそれぞれの種類によって光の波長域が狭く（スペクトル幅が小さく）、その組み合わせによって自由に目的の波長域を得ることができるので、植物体１Ａ（ここではスイートピー）の栽培に適した波長域を容易に設定して照射を行なうことができる、
などの特徴（特性）や効果を有している。第１実施形態のみならず後述する第２〜第５実施形態においても、このような発光ダイオード３ａの特徴や効果を利用している。
【００２０】
ＬＥＤの特性をまとめると、スペクトル幅の小さな単色光／低電圧で駆動可能／コンパクト／発熱が少ないという特性があり、第１〜第５実施形態では、このようなＬＥＤの特性を用いて、植物に必要な波長の光を組み合わせて照射を行なうことにより、小さなエネルギで効率よく特定の植物生理機能や形態形成を促すことが可能になるとともに、植物の要部（第１実施形態では花蕾１ａの近傍の茎葉１ｂ）に対する近接照射を容易に行なうことが可能である。
【００２１】
上述したように、本発明の第１実施形態としての花きの栽培方法では、花き栽培用照明装置３Ａを用い、植物体１Ａの花蕾１ａ近傍の茎葉１ｂに対し、茎１ｃの生長方向と交わる方向（略横方向）から、発光ダイオード３ａを用いて人工光を照射することにより、電力消費量が大きく高価な照明装置を用いることなく、簡易な構成による効率の良い人工光の照射（発光ダイオード３ａ）によって、スイートピー等の花き１Ａについての落蕾の発生を確実に抑制し、安定した切花生産を実現することができる。
【００２２】
このとき、発光ダイオード３ａが、花蕾１ａ近傍で生長方向と交わる方向（花き１Ａの頭上を避けた花き１Ａの側方面）から照射を行なうべく、花き１Ａの側方向に設置されることになるので、自然光（太陽光／日照）と発光ダイオード３ａによる人工光とを併用して花き１Ａの栽培を行なう際に、昼間等に発光ダイオード３ａ（照明装置３Ａ）が上方からの自然光を遮ることがなく、自然光と人工光との両方を効率よく用いて落蕾の発生をより確実に抑制することができる。また、その際、複数の発光ダイオード３ａを帯状に配置した照明装置３Ａが、鉛直面内に展張された誘引ネット２Ａに沿ってそなえられているので、その照明装置３Ａが誘引ネット２Ａを妨げたり誘引ネット２Ａと干渉したりすることもない。
【００２３】
特に、花き１Ａがスイートピーである場合、発光ダイオード３ａの特性によりスイートピーの栽培に適した波長域（スペクトル幅）の照射が発熱を伴わずに効率よく行なうことができる。そのため、曇雨天が連続し日照が不足する場合や、植物体１Ａが土壌水分過多や落蕾などにより茎葉が繁茂した場合でも、生理的な落蕾の発生が減少し、安定した切花生産を行なうことができる。
【００２４】
ここで、スイートピーの所定箇所に対し、本実施形態の照明装置３Ａ（発光ダイオード３ａ）によって照射を行なった場合（ＬＥＤ照射区）と、行なわなかった場合（無処理）とについて、試験を行なった結果を下記表１に示す。この表１に示すように、無処理の場合、スイートピー（植物体１Ａ）１株当たり平均９本の切花が得られたが、そのうち６本で落蕾が生じていたため、出荷可能な切花は１株当たり平均３本であった。これに対し、ＬＥＤ照射を行なった場合、スイートピー（植物体１Ａ）１株当たり平均８本の切花が得られ、そのうち１本で落蕾が生じていただけで、出荷可能な切花は１株当たり平均７本であった。つまり、本実施形態の手法による照射を行なった場合、落蕾が減少し、安定した切花生産を行なえることが明らかになった。
【００２５】
【表１】
2007267645.tif 000003
【００２６】
〔２〕第２実施形態の説明
図２は本発明の第２実施形態としての植物の栽培方法（植物栽培用照明装置）を説明するための模式図であり、この図２に示す第２実施形態では、例えばキク，トルコギキョウのような花き／植物（以下、植物体という）１Ｂに本発明の栽培方法（植物栽培用照明装置３Ｂ）を適用した場合について説明する。一般に、キク，トルコギキョウ等の植物を栽培する際には、図２に示すように、誘引ネット２Ｂが水平面内に展張されており、この誘引ネット２Ｂにより植物体１Ｂの上部（生長点１ｄの近傍）が支持されて誘引されながら生長するようになっている。
【００２７】
第２実施形態の照明装置３Ｂも、上述した照明装置３Ａと同様、パネル上において、複数の発光ダイオード（ＬＥＤ発光体）３ａを、上下方向に幅を有する帯状にそなえて構成されている。具体的には、照明装置３Ｂにおいても、発光ダイオード３ａが、上下方向（鉛直方向，幅方向）に複数個列状に配置されるとともに、このような列状の発光ダイオード３ａが、水平方向（長手方向）に多数列そなえられている。なお、発光ダイオード３ａは、帯状の照明装置３Ｂの両面にそなえてもよい。
【００２８】
そして、照明装置３Ｂにおける各発光ダイオード３ａは、図示略の電源から電力供給を受けることにより、上述のような植物体１Ｂの生長点１ｄ近傍（直下）の茎葉１ｅに対し、植物体１Ｂの茎１ｆの生長方向（鉛直上方向；図２中の上方向）と交わる方向（本実施形態では略直交する方向；水平方向）から、人工光を照射するように配置されている。
【００２９】
つまり、発光ダイオード３ａを有する照明装置３Ｂは、生長点１ｄの近傍で茎１ｆの生長方向と交わる方向（植物体１Ｂの頭上を避けた植物体１Ｂの側方面）から照射を行なうべく、植物体１Ｂの側方向において生長点１ｄ近傍の茎葉１ｅに近接して設置されている。第２実施形態でも、第１実施形態と同様、植物体１Ｂは、自然光（太陽光／日照）の当たる環境下で栽培され、その自然光（太陽光／日照）に加えて照明装置３Ｂ（発光ダイオード３ａ）による前記人工光を照射される。この照明装置３Ｂは、例えば、植物体１Ｂや誘引ネット２Ｂに近接して立設された複数の支柱（図示略）に取り付けられ、上述のような照射を行なえる位置に固定されている。また、自然光の当たらない夜間には、必要に応じて、照明装置３Ｂを用い、発光ダイオード３ａによる人工光を生長点１ｄ近傍の茎葉１ｅに対し照射することが可能である。
【００３０】
上述のような照明装置３Ｂを用いた、本発明の第２実施形態としての花きの栽培方法によれば、植物体１Ｂの生長点１ｄ近傍の茎葉１ｅに対し、茎１ｆの生長方向と交わる方向（略横方向）から、発光ダイオード３ａを用いて人工光を照射することにより、電力消費量が大きく高価な照明装置を用いることなく、簡易な構成による効率の良い人工光の照射（発光ダイオード３ａ）によって、植物体（花き）１Ｂの花芽抑制／花芽形成促進による開花調節や光合成／生長の促進を行なうことができる。
【００３１】
このとき、発光ダイオード３ａが、生長点１ｄ近傍で生長方向と交わる方向（植物体１Ｂの頭上を避けた植物体１Ｂの側方面）から照射を行なうべく、植物体１Ｂの側方向に設置されることになるので、自然光（太陽光／日照）と発光ダイオード３ａによる人工光とを併用して植物体１Ｂの栽培を行なう際に、昼間等に発光ダイオード３ａ（照明装置３Ｂ）が上方からの自然光を遮ることがなく、自然光と人工光との両方を効率よく用いて開花調節や光合成／生長の促進を行なうことができる。また、その際、複数の発光ダイオード３ａを帯状に配置した照明装置３Ｂが、水平面内に展張された誘引ネット２Ｂに沿ってそなえられているので、その照明装置３Ｂが誘引ネット２Ｂを妨げたり誘引ネット２Ｂと干渉したりすることもない。
【００３２】
特に、植物（花き）１Ｂがキクやトルコギキョウである場合、スイートピーの場合と同様に発光ダイオード３ａの特性によりキクやトルコギキョウの栽培に適した波長域（スペクトル幅）の照射が発熱を伴わずに効率よく行なうことができるほか、自然光の当たらない夜間には、発光ダイオード３ａによる人工光のみを生長点１ｄ近傍の茎葉１ｅに対し照射することで、電力消費量が大きく高価な照明装置を用いることなく、簡易な構成による効率の良い人工光の照射（発光ダイオード３ａ）によって、極めて容易に、キクやトルコギキョウの開花促進／抑制を行なうことができる。
【００３３】
〔３〕第３実施形態の説明
図３は本発明の第３実施形態としての植物の栽培方法（植物栽培用照明装置）を説明するための模式図であり、この図３に示す第３実施形態では、例えばトマト，ナス，ピーマン，メロンのような果菜類（以下、植物体という）１Ｃに本発明の栽培方法（植物栽培用照明装置３Ｃ）を適用した場合について説明する。一般に、トマト，ナス，ピーマン，メロン等の果菜類を栽培する際には、図３に示すように、誘引紐２Ｃが鉛直方向に展張されており、この誘引紐２Ｃに沿って植物体１Ｃが下方から上方へ誘引されながら生長するようになっている。
【００３４】
第３実施形態の照明装置３Ｃも、上述した照明装置３Ａ，３Ｂと同様、パネル上において、複数の発光ダイオード（ＬＥＤ発光体）３ａを、上下方向に幅を有する帯状にそなえて構成されている。具体的には、照明装置３Ｃにおいても、発光ダイオード３ａが、上下方向（鉛直方向，幅方向）に複数個列状に配置されるとともに、このような列状の発光ダイオード３ａが、水平方向（長手方向）に多数列そなえられている。なお、発光ダイオード３ａは、帯状の照明装置３Ｃの両面にそなえてもよい。
【００３５】
そして、照明装置３Ｃにおける各発光ダイオード３ａは、上述した第２実施形態と同様、図示略の電源から電力供給を受けることにより、上述のような植物体１Ｃの生長点１ｄ近傍（直下）の茎葉１ｅに対し、植物体１Ｃの主枝１ｆの生長方向（鉛直上方向；図３中の上方向）と交わる方向（本実施形態では略直交する方向；水平方向）から、人工光を照射するように配置されている。
【００３６】
つまり、発光ダイオード３ａを有する照明装置３Ｃは、生長点１ｄの近傍で主枝１ｆの生長方向と交わる方向（植物体１Ｃの頭上を避けた植物体１Ｃの側方面）から照射を行なうべく、植物体１Ｃの側方向において生長点１ｄ近傍の茎葉１ｅに近接して設置されている。第３実施形態でも、第１，第２実施形態と同様、植物体１Ｃは、自然光（太陽光／日照）の当たる環境下で栽培され、その自然光（太陽光／日照）に加えて照明装置３Ｃ（発光ダイオード３ａ）による前記人工光を照射される。この照明装置３Ｃは、例えば、植物体１Ｃや誘引紐２Ｃに近接して立設された複数の支柱（図示略）に取り付けられ、上述のような照射を行なえる位置に固定されている。また、自然光の当たらない夜間には、必要に応じて、照明装置３Ｃを用い、発光ダイオード３ａによる人工光を生長点１ｄ近傍の茎葉１ｅに対し照射することが可能である。
【００３７】
上述のような照明装置３Ｃを用いた、本発明の第３実施形態としての植物の栽培方法によれば、植物体１Ｃの生長点１ｄ近傍の茎葉１ｅに対し、主枝１ｆの生長方向と交わる方向（略横方向）から、発光ダイオード３ａを用いて人工光を照射することにより、電力消費量が大きく高価な照明装置を用いることなく、簡易な構成による効率の良い人工光の照射（発光ダイオード３ａ）によって、植物体１Ｃについての光合成／生長の促進を行なうことができる。
【００３８】
このとき、発光ダイオード３ａが、生長点１ｄ近傍で生長方向と交わる方向（植物体１Ｃの頭上を避けた植物体１Ｃの側方面）から照射を行なうべく、植物体１Ｃの側方向に設置されることになるので、自然光（太陽光／日照）と発光ダイオード３ａによる人工光とを併用して植物体１Ｃの栽培を行なう際に、昼間等に発光ダイオード３ａ（照明装置３Ｃ）が上方からの自然光を遮ることがなく、自然光と人工光との両方を効率よく用いて光合成／生長の促進を行なうことができる。また、その際、複数の発光ダイオード３ａを帯状に配置した照明装置３Ｃが、鉛直方向に展張された誘引紐２Ｃと直交する方向に沿ってそなえられているので、その照明装置３Ｃが誘引紐２Ｃを妨げたり誘引紐２Ｃと干渉したりすることもない。
【００３９】
また、第１，第２実施形態と同様に発光ダイオード３ａの特性により植物体１Ｃの栽培に適した波長域（スペクトル幅）の照射が発熱を伴わずに効率よく行なうことができるほか、自然光の当たらない夜間には発光ダイオード３ａによる人工光のみを生長点１ｄ近傍の茎葉１ｅに対し照射することで、電力消費量が大きく高価な照明装置を用いることなく、簡易な構成による効率の良い人工光の照射（発光ダイオード３ａ）によって、極めて容易に植物体１Ｃの開花促進／抑制を行なうことができる。
【００４０】
〔４〕第４実施形態の説明
図４は本発明の第４実施形態としての植物の栽培方法（植物栽培用照明装置）を説明するための模式図であり、この図４に示す第４実施形態では、例えば柑橘類，マンゴーのような植物（以下、植物体という）１Ｄに本発明の栽培方法（植物栽培用照明装置３Ｄ）を適用した場合について説明する。
【００４１】
第４実施形態の照明装置３Ｄも、上述した照明装置３Ａ〜３Ｃと同様、パネル上において、複数の発光ダイオード（ＬＥＤ発光体）３ａを、上下方向に幅を有する帯状にそなえて構成されている。具体的には、照明装置３Ｄにおいても、発光ダイオード３ａが、上下方向（鉛直方向，幅方向）に複数個列状に配置されるとともに、このような列状の発光ダイオード３ａが、水平方向（長手方向）に多数列そなえられている。なお、発光ダイオード３ａは、帯状の照明装置３Ｄの両面にそなえてもよい。
【００４２】
そして、照明装置３Ｄにおける各発光ダイオード３ａは、上述した第２，第３実施形態と同様、図示略の電源から電力供給を受けることにより、上述のような植物体１Ｄの生長点１ｄ近傍（直下）の茎葉１ｅに対し、植物体１Ｄの主枝１ｆの生長方向（略鉛直方向；図４中の上方向）と交わる方向（本実施形態では略直交する方向；水平方向）から、人工光を照射するように配置されている。
【００４３】
つまり、発光ダイオード３ａを有する照明装置３Ｄは、生長点１ｄの近傍で主枝１ｆの生長方向と交わる方向（植物体１Ｄの頭上を避けた植物体１Ｄの側方面）から照射を行なうべく、植物体１Ｄの側方向において生長点１ｄ近傍の茎葉１ｅに近接して設置されている。第４実施形態でも、第１〜第３実施形態と同様、植物体１Ｄは、自然光（太陽光／日照）の当たる環境下で栽培され、その自然光（太陽光／日照）に加えて照明装置３Ｄ（発光ダイオード３ａ）による前記人工光を照射される。この照明装置３Ｄは、例えば、植物体１Ｃに近接して立設された複数の支柱（図示略）に取り付けられ、上述のような照射を行なえる位置に固定されている。また、自然光の当たらない夜間には、必要に応じて、照明装置３Ｄを用い、発光ダイオード３ａによる人工光を生長点１ｄ近傍の茎葉１ｅに対し照射することが可能である。
上述のような照明装置３Ｄを用いた、本発明の第４実施形態としての植物の栽培方法によれば、上述した第３実施形態と同様の作用効果を得ることができる。
【００４４】
〔５〕第５実施形態の説明
図５は本発明の第５実施形態としての植物の栽培方法（植物栽培用照明装置）を説明するための模式図であり、この図５に示す第５実施形態では、例えばナシ，ブドウのような植物（以下、植物体という）１Ｅに本発明の栽培方法（植物栽培用照明装置３Ｅ）を適用した場合について説明する。一般に、ナシ，ブドウ等の植物（果樹）を栽培する際には、図５に示すように、誘引棚２Ｅが水辺面内に展張されており、この誘引棚２Ｅによって、植物体１Ｅが、下方から上方へさらには水平面内に誘引されながら生長するようになっている。
【００４５】
第５実施形態の照明装置３Ｅも、上述した照明装置３Ａ〜３Ｄと同様、パネル上において、複数の発光ダイオード（ＬＥＤ発光体）３ａを、上下方向に幅を有する帯状にそなえて構成されている。具体的には、照明装置３Ｅにおいても、発光ダイオード３ａが、上下方向（鉛直方向，幅方向）に複数個列状に配置されるとともに、このような列状の発光ダイオード３ａが、水平方向（長手方向）に多数列そなえられている。なお、発光ダイオード３ａは、帯状の照明装置３Ｅの両面にそなえてもよい。
【００４６】
そして、照明装置３Ｅにおける各発光ダイオード３ａは、上述した第２，第３実施形態と同様、図示略の電源から電力供給を受けることにより、上述のような植物体１Ｅの生長点１ｄ近傍（直下）の茎葉１ｅに対し、植物体１Ｅの主枝１ｆの生長方向（図５中の略水平方向）と交わる方向（本実施形態では水平方向）から、人工光を照射するように配置されている。
【００４７】
つまり、発光ダイオード３ａを有する照明装置３Ｅは、生長点１ｄの近傍で主枝１ｆの生長方向と交わる方向（植物体１Ｅの頭上を避けた植物体１Ｅの側方面）から照射を行なうべく、植物体１Ｅの側方向において生長点１ｄ近傍の茎葉１ｅに近接して設置されている。第５実施形態でも、第１〜第４実施形態と同様、植物体１Ｅは、自然光（太陽光／日照）の当たる環境下で栽培され、その自然光（太陽光／日照）に加えて照明装置３Ｅ（発光ダイオード３ａ）による前記人工光を照射される。この照明装置３Ｅは、例えば、植物体１Ｅに近接して立設された複数の支柱（図示略）、あるいは、誘引棚２Ｅに取り付けられ、上述のような照射を行なえる位置に固定されている。また、自然光の当たらない夜間には、必要に応じて、照明装置３Ｅを用い、発光ダイオード３ａによる人工光を生長点１ｄ近傍の茎葉１ｅに対し照射することが可能である。
上述のような照明装置３Ｅを用いた、本発明の第５実施形態としての植物の栽培方法によれば、上述した第３，第４実施形態と同様の作用効果を得ることができる。
【００４８】
〔６〕その他
なお、本発明は上述した実施形態に限定されるものではなく、本発明の趣旨を逸脱しない範囲で種々変形して実施することができる。
例えば、上述した第１〜第５実施形態の照明装置３Ａ〜３Ｅでは、パネル上において、複数の発光ダイオード３ａを、上下方向に幅を有する帯状にそなえているが、照明装置３Ａ〜３Ｅが、側方からの自然光（太陽光／日照）をできるだけ遮らないようにするためには、発光ダイオード３ａによる照射効果を低下させることなく上記パネルの幅（照射幅／上下方向の幅）をできるだけ狭くし、発光ダイオード３ａの照射角度が広くなるように構成することが望ましい。照射角度が広く十分な照射効果をあげることの可能な発光ダイオード３ａであれば、帯状（パネル状）の部材ではなく、棒状もしくは紐状（ロープ状）の部材にその発光ダイオード３ａを一列に設けることにより、その棒状／紐状の照明装置を構成することも可能である。このような棒状／紐状の照明装置を用いれば、第２実施形態で上述したようなキク，トルコギキョウなど誘引ネット２Ｂを水平に展帳した一般の草花類の栽培に広く応用することができる。
【００４９】
また、発光ダイオード３ａが花蕾１ａや生長点１ｄの近傍（直下）における茎葉１ｂ，１ｅに対し確実に人工光を照射できるように、花蕾１ａや生長点１ｄの位置（つまりは照射対象の花き１Ａや植物１Ｂ〜１Ｅの生長度合い）に応じて、発光ダイオード３ａの位置を自動的にもしくは手動で移動したり発光ダイオード３ａの照射角度を自動的にもしくは手動で調整したりする機能／機構をそなえてもよい。
【産業上の利用可能性】
【００５０】
以上のように、本発明によれば、発光ダイオードを用いることにより、スイートピー等の花きについての落蕾の発生を確実に抑制し、安定した切花生産を実現できるほか、花きの花芽抑制／花芽形成促進による開花調節や、花き，野菜，果樹などを含む植物についての光合成／生長の促進を行なえる。
従って、本発明は、スイートピー，ラン，キク，トルコギキョウなどの花きの栽培や、花きのみならず野菜，果樹などの各種植物の栽培に用いて好適であり、その有用性は極めて高いものと考えられる。
【図面の簡単な説明】
【００５１】
【図１】本発明の第１実施形態としての花きの栽培方法（花き栽培用照明装置）を説明するための模式図である。
【図２】本発明の第２実施形態としての植物の栽培方法（植物栽培用照明装置）を説明するための模式図である。
【図３】本発明の第３実施形態としての植物の栽培方法（植物栽培用照明装置）を説明するための模式図である。
【図４】本発明の第４実施形態としての植物の栽培方法（植物栽培用照明装置）を説明するための模式図である。
【図５】本発明の第５実施形態としての植物の栽培方法（植物栽培用照明装置）を説明するための模式図である。
【符号の説明】
【００５２】
１Ａ    植物体（花き／植物；例えばスイートピー）
１Ｂ    植物体（花き／植物；例えばキク，トルコギキョウ）
１Ｃ    植物体（植物；例えばトマト，ナス，ピーマン，メロンなどの果菜類）
１Ｄ    植物体（植物；例えば柑橘類，マンゴー）
１Ｅ    植物体（植物；例えばナシ，ブドウ）
１ａ    花蕾
１ｂ    花蕾近傍の茎葉
１ｃ    茎
１ｄ    生長点
１ｅ    生長点近傍の茎葉
１ｆ    茎（主枝）
２Ａ，２Ｂ    誘引ネット
２Ｃ    誘引紐
２Ｅ    誘引棚
３Ａ，３Ｂ，３Ｃ，３Ｄ，３Ｅ    照明装置（花き／植物栽培用照明装置）
３ａ    発光ダイオード（ＬＥＤ発光体）
【図１】
2007267645.tif 000004
【図２】
2007267645.tif 000005
【図３】
2007267645.tif 000006
【図４】
2007267645.tif 000007
【図５】
2007267645.tif 000008